(57)【要約】【課題】外観を小型化しつつも内蔵する二次電池の保護を図る。【解決手段】電池駆動機器ＢＤと接続して、該電池駆動機器ＢＤに内蔵される機器側二次電池に給電可能な電池パックであって、端面で一定の厚さを有する角型の二次電池セル１と、二次電池セル１と接続された回路基板３０と、二次電池セル１及び回路基板３０を収納する本体ケース１０と、を備えており、回路基板３０と、二次電池セル１とを積層して配置することができる。これにより、限られた本体ケース１０の空間内に回路基板３０と二次電池セル１とを効率よく配置できる。【選択図】図８
2013218927.tif 000002
【特許請求の範囲】
【請求項１】
電池駆動機器と接続して、該電池駆動機器に内蔵される機器側二次電池に給電可能な電池パックであって、
端面で一定の厚さを有する角型の二次電池セルと、
前記二次電池セルと接続された回路基板と、
前記二次電池セル及び回路基板を収納する本体ケースと、
を備えており、
前記回路基板と、前記二次電池セルとを積層してなることを特徴とする電池パック。
【請求項２】
請求項１に記載の電池パックであって、さらに、
前記二次電池セルを収納する電池ホルダーを備えており、
前記本体ケースは、外観を面取りしたドーム状に形成しており、
前記電池ホルダーは、前記二次電池セルを収納した状態で、該二次電池セルの端面を覆うホルダー壁を備えており、
前記ホルダー壁の端面を、前記本体ケースの内面に当接させて、前記二次電池セルの端面の厚さよりも高くした電池保護壁を、少なくとも一部に形成してなることを特徴とする電池パック。
【請求項３】
請求項２に記載の電池パックであって、
前記ホルダー壁は、前記二次電池セルを収納した状態で、該二次電池セルの端面の厚さよりも少なくとも部分的に高くしてなることを特徴とする電池パック。
【請求項４】
請求項２又は３に記載の電池パックであって、
前記本体ケースの内面には、前記ホルダー壁と対応する位置に、これを支承するケースリブを設けており、
前記電池ホルダーを前記本体ケースに収納した状態で、前記ホルダー壁とケースリブとが一体的に接合して前記電池保護壁を構成してなることを特徴とする電池パック。
【請求項５】
請求項２から４のいずれか一に記載の電池パックであって、
前記回路基板は、前記電池ホルダーの、前記二次電池セルを保持するセル配置面と反対側の基板配置面に配置されており、
前記本体ケースは、前記電池ホルダーの基板配置面を支承する支承リブを設けており、
前記支承リブの厚さを、前記回路基板の厚さよりも厚くしてなることを特徴とする電池パック。
【請求項６】
請求項２から５のいずれか一に記載の電池パックであって、
前記回路基板は、前記電池ホルダーの、前記二次電池セルを保持するセル配置面の反対側に、電子部品を配置したことをを特徴とする電池パック。
【請求項７】
請求項２から６のいずれか一に記載の電池パックであって、
前記回路基板は、前記二次電池セルと部分的に重複しない姿勢で積層されており、
該非重複領域において、前記電池ホルダーの前記二次電池セルを保持するセル配置面と同じ側において、一部を外部に表出させた押圧スイッチを設けてなることを特徴とする電池パック。
【請求項８】
請求項１から７のいずれか一に記載の電池パックであって、さらに、
前記本体ケースに着脱自在としたコネクタ部と、
前記コネクタ部と本体ケースとを接続するケーブル部と、
を備えており、
前記コネクタ部が、給電対象の電池駆動機器と接続するための出力端子を備えており、
前記本体ケースは、前記コネクタ部を装着した状態で前記出力端子を挿入するための端子挿入穴を形成してなることを特徴とする電池パック。
【請求項９】
請求項８に記載の電池パックであって、
前記本体ケースは、前記コネクタ部を接続する部位を切り欠いた切り欠き部を設けており、
前記コネクタ部は、前記本体ケースの切り欠き部に装着した状態で、該本体ケースと一体的な外観を成すよう形成されてなることを特徴とする電池パック。
【請求項１０】
請求項８又は９に記載の電池パックであって、
前記本体ケースは、前記二次電池セルに給電するための給電コネクタを備えており、
前記コネクタ部を本体ケースに装着した状態で、前記給電コネクタを閉塞してなることを特徴とする電池パック。
【発明の詳細な説明】
【技術分野】
【０００１】
本発明は、充電できる内蔵電池を備え、さらに外部に接続される電池駆動機器に電力を供給するコネクタを備える携帯式の電池パックに関する。
【背景技術】
【０００２】
内部に一対の円筒形電池を内蔵する電池パックは開発されている（特許文献１参照）。特許文献１に示す電池パック９００は、携帯式の電源として使用されるパック型のもので、その分解斜視図を図１１に示している。この電池パック９００は、一対の円筒形電池９０１の間に絶縁ホルダー９０３を配置して、この絶縁ホルダー９０３でもって円筒形電池９０１と基板回路９０４とを定位置に配置して電池組立９０９とし、この電池組立９０９を外装ケース９０２に収納している。また、図１２に示すように一面には電池駆動機器に電力を供給するためのＵＳＢポート９０５を備えており、ＵＳＢケーブル９０６を使用して電池駆動機器ＢＤと接続してこれを充電する。
【０００３】
この電池パックは、円筒形電池を使用するためこれを収納する本体ケースのサイズが大型化し、重量も重くなる。携行の利便性を考えれば、より小型で軽量な電池パックが望まれる。また電池駆動機器への充電を行うには、ＵＳＢポートと電池駆動機器とを接続するＵＳＢケーブルを別途用意する必要があり、携行性がさらに悪くなる。外出時に電池パックと共にＵＳＢケーブルを携行することを忘れると、充電ができなくなるという問題もあった。
【０００４】
一方で、電池パックの本体ケースを小型化すると、内部に収納する電池の保護が図りにくくなるという問題もある。すなわち、電池を外力等から保護する必要があるところ、本体ケースを小型化すると電池と本体ケースとの間の空間が狭くなり、本体ケースに加えられた衝撃が電池に伝わりやすくなる。特に携帯型の電池パックでは、持ち運びの際に落下させたり他の物と衝突するなど、扱いが煩雑になることも考えられるため、耐衝撃性を高める必要があるところ、小型化する程、このような特性を維持することが困難となるという問題もあった。
【先行技術文献】
【特許文献】
【０００５】
【特許文献１】特開２００９−１３１０８９号公報
【発明の概要】
【発明が解決しようとする課題】
【０００６】
本発明は、従来のこのような問題点を解決するためになされたものである。本発明の主な目的は、外観を小型化しつつも内蔵する二次電池の保護を図ることのできる電池パックを提供することにある。
【課題を解決するための手段及び発明の効果】
【０００７】
上記の目的を達成するため、本発明の第１の側面に係る電池パックによれば、電池駆動機器と接続して、該電池駆動機器に内蔵される機器側二次電池に給電可能な電池パックであって、端面で一定の厚さを有する角型の二次電池セルと、前記二次電池セルと接続された回路基板と、前記二次電池セル及び回路基板を収納する本体ケースと、を備えており、前記回路基板と、前記二次電池セルとを積層して配置することができる。上記構成により、回路基板と二次電池セルとを積層することで、横方向にこれら二次電池セル、回路基板を配列する構成と比べ、占有面積が小さくて済み、限られた本体ケースの空間内にこれらの部材を効率よく配置できる。
【０００８】
また第２の側面に係る電池パックによれば、さらに前記二次電池セルを収納する電池ホルダーを備えており、前記本体ケースは、外観を面取りしたドーム状に形成しており、前記電池ホルダーは、前記二次電池セルを収納した状態で、該二次電池セルの端面を覆うホルダー壁を備えており、前記ホルダー壁の端面を、前記本体ケースの内面に当接させて、前記二次電池セルの端面の厚さよりも高くした電池保護壁を、少なくとも一部に形成することができる。
【０００９】
上記構成により、二次電池セルの周囲を、この二次電池セルの厚さよりも厚くした電池保護壁で覆うことで、二次電池セルを本体ケースから浮かせた状態とでき、本体ケースに外力が加えられても、衝撃が二次電池セルに直接作用する事態を回避して二次電池セルを保護できる。
【００１０】
さらに第３の側面に係る電池パックによれば、前記ホルダー壁は、前記二次電池セルを収納した状態で、該二次電池セルの端面の厚さよりも少なくとも部分的に高くすることができる。
【００１１】
上記構成により、二次電池セルの周囲を、この二次電池セルの厚さよりも厚くしたホルダー壁で覆い、さらにホルダー壁を本体ケースと当接させることにより、二次電池セルを本体ケースから浮かせた状態として、本体ケースに外力が加えられても、衝撃が二次電池セルに直接作用する事態を回避して二次電池セルを保護できる。
【００１２】
さらにまた第４の側面に係る電池パックによれば、前記本体ケースの内面には、前記ホルダー壁と対応する位置に、これを支承するケースリブを設けており、前記電池ホルダーを前記本体ケースに収納した状態で、前記ホルダー壁とケースリブとが一体的に接合して前記電池保護壁を構成することができる。
【００１３】
上記構成により、電池ホルダーのホルダー壁と、本体ケースのケースリブとで電池保護壁を構成して、二次電池セルを本体ケースから浮かせた状態として保護できる。
【００１４】
さらにまた第５の側面に係る電池パックによれば、前記回路基板は、前記電池ホルダーの、前記二次電池セルを保持するセル配置面と反対側の基板配置面に配置されており、前記本体ケースは、前記電池ホルダーの基板配置面を支承する支承リブを設けており、前記支承リブの厚さを、前記回路基板の厚さよりも厚くすることができる。
【００１５】
上記構成により、二次電池セルに加えて回路基板も、支承リブでもって本体ケースから浮かせた状態として、外部の衝撃から保護できる。
【００１６】
さらにまた第６の側面に係る電池パックによれば、前記回路基板は、前記電池ホルダーの、前記二次電池セルを保持するセル配置面の反対側に、電子部品を配置することができる。
【００１７】
上記構成により、セル配置面側から電子部品を排除でき、その分だけ全体の厚さを薄型化できる。
【００１８】
さらにまた第７の側面に係る電池パックによれば、前記回路基板は、前記二次電池セルと部分的に重複しない姿勢で積層されており、該非重複領域において、前記電池ホルダーの前記二次電池セルを保持するセル配置面と同じ側において、一部を外部に表出させた押圧スイッチを設けることができる。
【００１９】
上記構成により、二次電池セルの周囲の空間を利用して押圧スイッチを配置でき、外形を大きくすることなく部材を効率よく配置できる。
【００２０】
さらにまた第８の側面に係る電池パックによれば、さらに前記本体ケースに着脱自在としたコネクタ部と、前記コネクタ部と本体ケースとを接続するケーブル部と、を備えており、前記コネクタ部が、給電対象の電池駆動機器と接続するための出力端子を備えており、前記本体ケースは、前記コネクタ部を装着した状態で前記出力端子を挿入するための端子挿入穴を形成することができる。
【００２１】
上記構成により、コネクタ部の非使用時には出力端子を端子挿入穴に挿入して、コネクタ部を本体ケースに接続するための物理的な接続構造に兼用できる。
【００２２】
さらにまた第９の側面に係る電池パックによれば、前記本体ケースは、前記コネクタ部を接続する部位を切り欠いた切り欠き部を設けており、前記コネクタ部は、前記本体ケースの切り欠き部に装着した状態で、該本体ケースと一体的な外観を成すよう形成できる。
【００２３】
上記構成により、コネクタ部の形状を本体ケースと一体的にでき、意匠的に優れた外観を得ることができる。
【００２４】
さらにまた第１０の側面に係る電池パックによれば、前記本体ケースは、前記二次電池セルに給電するための給電コネクタを備えており、前記コネクタ部を本体ケースに装着した状態で、前記給電コネクタを閉塞することができる。
【００２５】
上記構成により、コネクタ部を給電コネクタのカバーに兼用でき、非使用時には給電コネクタを閉塞してゴミ等の異物の侵入を阻止できる上、給電コネクタを表出させないことで外観をすっきりして見栄えも改善できる。
【図面の簡単な説明】
【００２６】
【図１】本発明の実施の形態１に係る電池パックを示す斜視図である。
【図２】図１の電池パックで電池駆動機器に給電する状態を示す斜視図である。
【図３】図１の電池パックからコネクタ部を外した状態を示す斜視図である。
【図４】図３の電池パックを充電する状態を示す斜視図である。
【図５】図１の電池パックの分解斜視図である。
【図６】図５の電池パックの更なる分解斜視図である。
【図７】図６の電池パックを斜め下方から見た分解斜視図である。
【図８】図１の電池パックのＶＩＩＩ−ＶＩＩＩ線における断面図である。
【図９】図１の電池パックのＩＸ−ＩＸ線における断面図である。
【図１０】図１の電池パックのＸ−Ｘ線における断面図である。
【図１１】従来の電池パックの分解斜視図である。
【図１２】図１１の電池パックで電池駆動機器を充電する様子を示す斜視図である。
【発明を実施するための形態】
【００２７】
以下、本発明の実施の形態を図面に基づいて説明する。ただし、以下に示す実施の形態は、本発明の技術思想を具体化するための電池パックを例示するものであって、本発明は電池パックを以下のものに特定しない。さらに、本明細書においては、特許請求の範囲を理解しやすいように、実施例に示される部材に対応する番号を、「特許請求の範囲」及び「課題を解決するための手段の欄」に示される部材に付記している。ただ、特許請求の範囲に示される部材を、実施の形態の部材に特定するものでは決してない。特に実施の形態に記載されている構成部材の寸法、材質、形状、その相対的配置等は、特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（実施例１）
【００２８】
本発明の一実施の形態に係る電池パック１００を図１〜図４に示す。これらの図において、図１は本発明の実施の形態１に係る電池パックを示す斜視図、図２は図１の電池パックで電池駆動機器に給電する状態を示す斜視図、図３は図１の電池パックからコネクタ部を外した状態を示す斜視図、図４は図３の電池パックを充電する状態を示す斜視図を、それぞれ示している。これらの図に示す電池パック１００は、図２に示すように電池駆動機器ＢＤとＵＳＢケーブル等を介して接続して、この電池駆動機器ＢＤに内蔵される機器側二次電池を充電する緊急用の携帯充電器として使用する。
【００２９】
電池パック１００の外観は本体ケース１０で形成される。本体ケース１０は平面視四角形状として隅部を面取りし、さらに側面視において端部を徐々に薄くしたドーム状に形成している。また図３に示すように、本体ケース１０の隅部に切り欠き部１３を設けており、ここにコネクタ部４０を嵌め込んで一体的な四角形状の外観を構成するようにしている。コネクタ部４０は、ケーブル部５０を介してケース本体と接続されている。またコネクタ部４０は、出力端子４１を備えている。さらにこの電池パック１００は、内部に充電可能な二次電池セル１を設けており、この二次電池セル１を出力端子４１を介して放電して、電池駆動機器ＢＤを充電する。加えて本体ケース１０には、二次電池セル１を充電するための給電コネクタ１９を設けている。給電コネクタ１９は、切り欠き部１３に設けられており、コネクタ部４０を外すことで表出される。
【００３０】
コネクタ部４０はケース本体に対して着脱自在としており、非使用時には図１に示すように本体ケース１０の切り欠き部１３に嵌め込まれ、使用時には図２に示すように本体ケース１０から取り外して、出力端子４１を電池駆動機器ＢＤに接続し、この電池駆動機器ＢＤを充電する。一方で、電池パック１００を充電する際は、図４に示すようにコネクタ部４０を外して給電コネクタ１９を表出させた状態で、ここに充電用のケーブル部５０を接続して外部電源等の電源から給電を行う。
【００３１】
図５〜図７に、電池パック１００の分解斜視図を示す。これらの図に示すように、電池パック１００は二次電池セル１と、二次電池セル１を保持する電池ホルダー２０と、回路基板３０とを備える。
（本体ケース１０）
【００３２】
本体ケース１０は、その厚さよりも幅を大きくした薄型に形成している。また本体ケース１０は、図５に示すように上ケース１１と下ケース１２に二分割され、ねじ等により固定されている。この本体ケース１０は絶縁性の材質で構成する。例えば、ポリカーボネート等の樹脂製とする。この本体ケース１０内には、電池ホルダー２０と、二次電池セル１と、回路基板３０を収納している。
【００３３】
本体ケース１０は、図８、図９の断面図に示すように、側面視において中央を突出させるように湾曲させたドーム状に形成している。このような形状とすることで、上面を平板とした形状に比べ、上面を支承する剛性を高めて、内部に収納する二次電池セル１の保護を図ることができる。
（電池ホルダー２０）
【００３４】
電池ホルダー２０は図６に示すように、矩形状の枠型としており、その上面から二次電池セル１を収納する。
（ホルダー壁２２）
【００３５】
枠型の電池ホルダー２０は、二次電池セル１を収納した状態で、二次電池セル１の端面を覆うホルダー壁２２で構成される。ホルダー壁２２は、二次電池セル１を収納した状態で、この二次電池セル１の端面の厚さよりも少なくとも部分的に高くすることが好ましい。ホルダー壁２２の端面は、図８及び図９の断面図に示すように、ドーム状本体ケース１０の上ケース１１の内面に当接させている。
（ケースリブ１４）
【００３６】
さらに上ケース１１の内面には、電池ホルダー２０のホルダー壁２２と対応する位置に、これを支承するケースリブ１４を設けている。ケースリブ１４は、電池ホルダー２０を本体ケース１０に収納した状態で、ホルダー壁２２と一体的に接合されて電池保護壁を構成する。
【００３７】
このようにして、電池ホルダー２０のホルダー壁２２と、本体ケース１０のケースリブ１４とで電池保護壁を構成して、二次電池セル１を本体ケース１０から浮かせた状態として、本体ケース１０に外力が加えられても、衝撃が二次電池セル１に直接作用する事態を回避して二次電池セル１を保護できる。
【００３８】
また、上述の通り本体ケース１０をドーム状としたことで、二次電池セル１の上面とドーム状本体ケース１０の内面との間に緩衝空間１６が設けられるため、本体ケース１０に対して外部から応力が加えられても、この部分が緩衝層として作用し、衝撃力を緩和して二次電池セル１を保護できる。加えて、二次電池セル１が膨張することがあっても、上面を開放した電池ホルダー２０から緩衝空間１６内に膨張することで、本体ケース１０の変形を回避できる。
（二次電池セル１）
【００３９】
二次電池セル１は、電池ホルダー２０に収納できる角形に構成されている。この二次電池セル１も、その厚さよりも幅を大きくした薄型の外形としている。ここでは、図６に示すように二次電池セル１の平面視を長方形状としている。二次電池セル１には、リチウムイオン二次電池、リチウムポリマー電池、ニッケル水素電池、ニッケルカドミウム電池等の充電可能な二次電池が利用できる。中でもリチウムイオン二次電池は、体積に対する電気容量が大きく、小型化に適している。また二次電池セル１は、回路基板３０に実装された給電制御回路で充放電を制御される。これにより、電池パック１００は、電池駆動機器ＢＤが要求する電力を供給可能としている。
（回路基板３０）
【００４０】
また電池ホルダー２０の下面には、回路基板３０が固定される。回路基板３０は、二次電池セル１と電気的に接続されており、二次電池セル１の充放電を制御するための給電制御回路を実装している。さらに、給電制御回路で制御された二次電池セル１の出力を外部に取り出すためのコネクタ部４０と、ケーブル部５０を介して接続されている。
【００４１】
この回路基板３０は、電池ホルダー２０の、二次電池セル１を保持するセル配置面２４と反対側の基板配置面２５に配置されている。一方、本体ケース１０の下ケース１２には、電池ホルダー２０の基板配置面を支承する支承リブ１５を設けている。ここで、支承リブ１５の厚さを、回路基板３０の厚さよりも厚くしている。これによって、二次電池セル１のみならず回路基板３０も、支承リブ１５でもって本体ケース１０から浮かせた状態として、外部の衝撃から保護できる。
【００４２】
加えて回路基板３０は、電池ホルダー２０の内セル配置面２４の反対側の基板配置面２５に、電子部品を配置している。このようにしてセル配置面２４側から電子部品を排除でき、その分だけ全体の厚さを薄型化できる。特に図８、図９の断面図に示すように、二次電池セル１の底面に沿わせるように回路基板３０を配置することで、回路基板３０の上面と下ケース１２内面との間に空間（基板空間１７）が設けられるので、回路基板３０上に電子部品３１を実装することが可能となる。特に、電解コンデンサやコイルのようなある程度の高さを有する電子部品３１を実装する基板空間１７を確保でき、電池パック１００を小型化しつつも必要な電子部品３１の実装が可能となる。加えて、この基板空間１７を電子部品３１の放熱空間としても利用できる。特に、電池ホルダー２０を有底の箱形として、絶縁性、断熱性を備える部材で構成することにより、回路基板３０で発生した熱を二次電池セル１側に伝熱させることを抑制し、下記路基板の上面に設けられた基板空間１７内に放熱できる。
【００４３】
なお回路基板３０の大きさは、二次電池セル１の大きさに制限されない。すなわち、二次電池セル１よりも大きな回路基板３０とすることもできる。図１０の水平断面図に示す例では、回路基板３０を二次電池セル１よりも大きくして、電池ホルダー２０の外側にも回路基板３０を突出させている。これにより、回路設計の自由度を高めることができる。例えば、図１０において電池ホルダー２０の下方側に突出させた回路基板３０上に押圧スイッチ３２を実装し、上ケース１１から表出させている。このような配置によって、押圧スイッチ３２を本体ケース１０内で二次電池セル１に干渉されることなく、貫通させた状態に配置できる。さらに電池ホルダー２０の上方側でも回路基板３０を突出させ、ここにケーブル部５０の端部を実装している。特にケーブル部５０は後述する通り、平型ケーブル（一定幅のスリップ状）に形成されているため、回路基板３０上に案内することで、ケーブル部５０を捻ることなく、また電池ホルダー２０に干渉されることなく電気接続を容易に行える。
【００４４】
このように回路基板３０は、二次電池セル１と部分的に重複しない姿勢で積層できる。そして、このような非重複領域においては、基板配置面２５のみならず、セル配置面２４と同じ側においても部材を配置できる。例えば上述の通り、一部を外部に表出させた押圧スイッチ３２を設けることができる。このようにして二次電池セル１の周囲の空間を利用して押圧スイッチ３２等を効率よく配置できる。
【００４５】
このようにして、二次電池セル１を本体ケース１０内に配置しつつ、二次電池セル１の周囲に生じる本体ケース１０の空間を利用して、各部材を効率よく配置できる。なお図１０の例では、二次電池セル１を本体ケース１０の中心でなく、偏心させた位置に配置することで、給電コネクタ１９等の部材を配置する空間を確保している。
（コネクタ部４０）
【００４６】
コネクタ部４０は、本体ケース１０とケーブル部５０を介して接続されている。コネクタ部４０は、本体ケース１０の一の隅部に形成された切り欠き部１３に着脱自在に装着される。コネクタ部４０の外形は、切り欠き部１３に装着した状態で本体ケース１０の一部をなすような形状に、いいかえると本体ケース１０の他の隅部と同様の形状に形成されている。ここでは、平面視を直角三角形状とし、側面視を放物線状として、切り欠き部１３との接合面を直交する平面、他の面を曲面で構成している。
【００４７】
またコネクタ部４０は、電池駆動機器ＢＤと接続するための出力端子４１を備えている。一方本体ケース１０は、コネクタ部４０を装着した状態で出力端子４１を挿入するための端子挿入穴１８を開口している。このようにすることで、図３に示すようにコネクタ部４０の非使用時には出力端子４１を端子挿入穴１８に挿入して、コネクタ部４０を本体ケース１０に係止できる。すなわち、コネクタ部４０を本体ケース１０に接続するための物理的な接続構造に兼用できる。ここでは、出力端子４１とケーブル部５０との接合部分に、出力端子４１よりも一回り大きく形成した接続体４２を形成しており、この接続体４２を端子挿入穴１８に挿入して、ケーブル部５０を本体ケース１０に係止する構成としている。このようにすることで、電気接続のための出力端子４１の表面が直接端子挿入穴１８に触れるのを避け、出力端子４１の表面が傷付くことを防止している。
【００４８】
さらに本体ケース１０は、切り欠き部１３に給電コネクタ１９を設けている。ここで切り欠き部１３は、断面視Ｌ字状に本体ケース１０の隅部を切除しており、Ｌ字状の一方の切り欠き面（第一切り欠き面１３ａ）に端子挿入穴１８を、他方の切り欠き面（第二切り欠き面１３ｂ）に給電コネクタ１９を設けている。このように端子挿入穴１８と給電コネクタ１９を異なる面に設けることで、本体ケース１０の外形を大きくすることなく、これらの開口部分を効率よく本体ケース１０に配置できる。また、切り欠き部１３はコネクタ部４０の装着時に閉塞されて外部に表出されないことから、非使用時に開口部分を見えなくして、外観をすっきりさせて見栄えを改善できる。加えて、開口部分を閉塞することで、埃やゴミなどの異物の侵入も阻止できる。いいかえると、コネクタ部４０を給電コネクタ１９のカバーに兼用できる。
（ケーブル部５０）
【００４９】
ケーブル部５０は、一端を本体ケース１０に、他端をコネクタ部４０に固定している。本体ケース１０側では、回路基板３０と電気的に接続されており、コネクタ部４０の出力端子４１から二次電池セル１の出力電力が供給されるようにしている。ケーブル部５０は可撓性のある部材で構成され、折曲や捻りを自在として、本体ケース１０から引き出されたコネクタ部４０を電池駆動機器ＢＤに接続し易くしている。また図３の例では、ケーブルをスリップ状に形成し（平線、平型ケーブル等と呼ばれる）、コネクタ部４０を本体ケース１０に装着する際には、本体ケース１０の側面に沿って折曲させてケーブル部５０を本体ケース１０と密着させる。すなわち、ケーブル部５０が本体ケース１０の外部に表出する長さは、引き出し部分から切り欠き部１３までの距離に応じた長さとする。これにより、コネクタ部４０を本体ケース１０に装着した状態でケーブル部５０がだぶつかず、外観をすっきりさせることができる。また本体ケース１０の側面には、ケーブル部５０を挿入可能なケーブル用溝５２を設けることで、ケーブル用溝５２に沿ってケーブル部５０を挿入するよう案内して、ケーブル部５０を位置決め状態に収納でき、一層外観を簡素化できる。
【００５０】
また、ケーブル部５０の長さを必要最小限とすることで、出力端子４１を給電コネクタ１９に誤挿入する事態も回避できる。すなわち図３の例では、給電コネクタ１９の形状と、出力端子４１の形状は同一としているが、ケーブル部５０の長さを最短とすることで、出力端子４１を給電コネクタ１９に物理的に挿入不可能とでき、誤挿入を阻止して安全性を高めることができる。
【００５１】
またケーブル部５０の端縁は、本体ケース１０内で回路基板３０と接続される。ここでケーブル部５０は過度な捻りや曲率半径の小さい折曲によって内部の電気線への負荷や断線が生じないよう、極力スリップ状を捻ることなく平行姿勢で巻き取るように配置することが好ましい。このためケーブル部５０の本体ケース１０からの引き出しは、図１０の水平断面図に示すように、上ケース１１と下ケース１２を螺合するボスを利用して、この周囲に巻き取るように配置している。また巻き取った後はケーブルリブでＵ字状に折曲させてケーブル部５０を挟持することで、ケーブル部５０の引っ張りに対する耐性を高めることができる。
【産業上の利用可能性】
【００５２】
本発明に係る電池パックは、スレートＰＣ、スマートフォン、携帯録音機等の電池駆動機器に接続して充電可能な電池パックとして、好適に利用できる。
【符号の説明】
【００５３】
１００…電池パック
１…二次電池セル
１０…本体ケース
１１…上ケース
１２…下ケース
１３…切り欠き部；１３ａ…第一切り欠き面；１３ｂ…第二切り欠き面
１４…ケースリブ
１５…支承リブ
１６…緩衝空間
１７…基板空間
１８…端子挿入穴
１９…給電コネクタ
２０…電池ホルダー
２２…ホルダー壁
２４…セル配置面
２５…基板配置面
３０…回路基板
３１…電子部品
３２…押圧スイッチ
４０…コネクタ部
４１…出力端子
４２…接続体
５０…ケーブル部
５２…ケーブル用溝
９００…電池パック
９０１…円筒形電池
９０２…外装ケース
９０３…絶縁ホルダー
９０４…基板回路
９０５…ＵＳＢポート
９０６…ＵＳＢケーブル
９０９…電池組立
ＢＤ…電池駆動機器
【図１】
2013218927.tif 000003
【図２】
2013218927.tif 000004
【図３】
2013218927.tif 000005
【図４】
2013218927.tif 000006
【図５】
2013218927.tif 000007
【図６】
2013218927.tif 000008
【図７】
2013218927.tif 000009
【図８】
2013218927.tif 000010
【図９】
2013218927.tif 000011
【図１０】
2013218927.tif 000012
【図１１】
2013218927.tif 000013
【図１２】
2013218927.tif 000014